(57)【要約】      （修正有）【課題】ブラシ部と、取っ手部と、キャップとが直列に配設され、ブラシ部が取っ手部に脱着可能で、かつ、余分なブラシを収納できる直列型歯間歯ブラシを提供する。【解決手段】ブラシ部１０と取っ手部２０とキャップ３０とがが別々に構成され、取っ手部は、その上側に端部に係止突部２２が設けた上方に拡張される楔型の取り付け溝２１有し、ブラシ部のブラシ台１２は、上側に凹状の取っ手溝１６を設け、下側には取り付け溝に嵌挿できるように下方に行くにつれて外径が縮小する楔型の取り付け部１３を備え、取っ手溝と取り付け部との間に、係止突部が嵌入される係止溝１４を設け、取り付け溝面または取り付け部の外周面には、回転防止突起を設けた。また、キャップの下端の内面には、下方に行くにつれて拡張される楔型の取り付け溝３１を設け、取っ手部の上側には取り付け溝に嵌挿されるように上方に行くにつれて外径が縮小する楔型の取り付け部２３を備えた。【選択図】図４
2005193031.tif 000002
【特許請求の範囲】
【請求項１】
ブラシ部と、取っ手部と、キャップとが一列に配設された直列型歯間歯ブラシにおいて、
前記ブラシ部と取っ手部とが別々に構成されるが、
前記取っ手部は、その上側に上方に拡張される楔型の取り付け溝が設けられると共に、この取り付け溝の端部には、係止突部が設けられるように構成され、
前記ブラシ部は、ブラシとブラシ台とから構成されるが、ブラシ台は、上側に凹状の取っ手溝が設けられ、下側には前記取り付け溝に嵌挿されるように下方に行くにつれて外径が縮小する楔型の取り付け部が備えられ、前記取っ手溝と取り付け部との間には、前記係止突部が嵌入される係止溝が設けられるように構成され、
そして、前記取り付け溝面または取り付け部の外周面には、回転防止突起が設けられることを特徴とする直列型歯間歯ブラシ。
【請求項２】
ブラシ部と、取っ手部と、キャップとが一列に配設された直列型歯間歯ブラシにおいて、
前記キャップの下端の内面には、下方に行くにつれて拡張される楔型の取り付け溝が設けられるように構成され、
前記取っ手部の上側には前記取り付け溝に嵌挿されるように上方に行くにつれて外径が縮小する楔型の取り付け部が備えられるように構成され、
さらに、前記取り付け部の下部には、前記取り付け溝の最大内径よりも大きい外径となっており、前記取り付け溝が嵌挿されない余分な取り付け部を備えることを特徴とする直列型歯間歯ブラシ。
【請求項３】
前記ブラシ部と取っ手部とが別々に構成されるが、
前記取っ手部は、その上側に上方に拡張される楔型の取り付け溝が設けられると共に、この取り付け溝の端部には、係止突部が設けられるように構成され、
前記ブラシ部は、ブラシとブラシ台とから構成されるが、ブラシ台は、上側に凹状の取っ手溝が設けられ、下側には前記取り付け溝に嵌挿されるように下方に行くにつれて外径が縮小する楔型の取り付け部が備えられ、前記取っ手溝と取り付け部との間には、前記係止突部が嵌入される係止溝が設けられるように構成され、
そして、前記取り付け溝面または取り付け部の外周面には、回転防止突起が設けられていることを特徴とする請求項２に記載の直列型歯間歯ブラシ。
【請求項４】
前記取っ手部の内部に余分なブラシ部を収納できるブラシ収納溝が設けられていることを特徴とする請求項１または２に記載の直列型歯間歯ブラシ。
【発明の詳細な説明】
【技術分野】
【０００１】
本発明は、ブラシ部と、取っ手部と、キャップとが直列に配設された直列型歯間歯ブラシに関し、特に、ブラシ部と取っ手部との取り付け・取り外しが可能であり、キャップと取っ手部との堅固な取り付け構造を有し、かつ、余分なブラシを収納できる直列型歯間歯ブラシに関する。
【背景技術】
【０００２】
一般に、歯牙の清潔保持手段として普通の歯ブラシが使われているが、普通の歯ブラシは、歯と歯の間に挟まっている食べカスまたは歯石などを取り除くのに限界があり、細長いブラシ毛を有する歯間歯ブラシとしてこのような問題を解決している。
このような歯間歯ブラシは、本体(取っ手)とブラシとが直列に配設された直列式と、本体(取っ手)とブラシとがほぼ逆Ｌ字型に折り曲げられている交差式とに大別され、交差式の場合は、ブラシの取り付け・取り外しが可能であるから、角度の調節が可能であり、それなりに有用に用いられている。
【０００３】
しかし、直列式の場合は、図１に示すように、取っ手部１とブラシ部２とが一体型になっており、ブラシ部のみを個別に取り替えることが不可能であるという問題があった。
また、キャップ３を取り付けるために、取っ手部１の上部に楔型の取り付け部１ａを設けると共に、この取り付け部の終端部には係止段１ｂを設け、キャップ３の下端の内径は、図２の示すように、多角形構造を持つようにし、前記取り付け部１ａの外径よりも少し小さくしてキャップの内径が取り付け面の外径に無理やり嵌合される方式が適用されているが、この場合は、キャップ３を開けたり閉じたりする回数が増えるにつれてキャップの内径または取っ手部１の取り付け部１ａが磨耗しながら取っ手部に対するキャップの嵌合力が弱化し、キャップが紛失しやすくなるという問題があった。
【発明の開示】
【発明が解決しようとする課題】
【０００４】
本発明は、上記問題点に鑑みなされたものであり、ブラシ部が取り付け・取り外し可能な構造を有する直列型歯間歯ブラシを提供することを目的とする。
また、本発明は、取っ手部とキャップとの間で堅固な取り付け構造を有する直列型歯間歯ブラシを提供することを他の目的とする。
また、本発明は、余分なブラシを収納できる直列型歯間歯ブラシを提供することをさらに他の目的とする。
【課題を解決するための手段】
【０００５】
上記の目的を達成するため、本発明による直列型歯間歯ブラシは、ブラシ部と、取っ手部と、キャップとが一列に配設された直列型歯間歯ブラシにおいて、前記ブラシ部と取っ手部とが別々に構成されるが、
前記取っ手部は、その上側に上方に拡張される楔型の取り付け溝が設けられると共に、この取り付け溝の端部には、係止突部が設けられるように構成され、
前記ブラシ部は、ブラシとブラシ台とから構成されるが、ブラシ台は、上側に凹状の取っ手溝が設けられ、下側には前記取り付け溝に嵌挿されるように下方に行くにつれて外径が縮小する楔型の取り付け部が備えられ、前記取っ手溝と取り付け部との間には、前記係止突部が嵌入される係止溝が設けられるように構成され、
そして、前記取り付け溝面または取り付け部の外周面には、回転防止突起が設けられることを特徴とする。
【０００６】
また、ブラシ部と、取っ手部と、キャップとが一列に配設された直列型歯間歯ブラシにおいて、前記キャップの下端の内面には、下方に行くにつれて拡張される楔型の取り付け溝が設けられるように構成され、
前記取っ手部の上側には前記取り付け溝に嵌挿されるように上方に行くにつれて外径が縮小する楔型の取り付け部が備えられるように構成され、
さらに、前記取り付け部の下部には、前記取り付け溝の最大内径よりも大きい外径となっており、前記取り付け溝が嵌挿されない余分な取り付け部を備えることを特徴とする。
【発明の効果】
【０００７】
このような本発明による直列型歯間歯ブラシによれば、取っ手部とブラシ部とが取り外され、消耗品であるブラシ部のみの一部の取り替えが可能となり、経済的であり、環境にやさしいという効果を有する。
また、取っ手部とブラシ部との取り付けの際に、凹溝により大きい力を必要とせず、容易に押し入れて取り付けることができ、回転防止突起によりブラシ部が空回りすることなく、使用上の不便はない。
【０００８】
また、キャップと取っ手部との取り付けの際に、キャップと取っ手部との接触面が磨耗しても、取っ手部に余分な取り付け部が設けられており、キャップの嵌合力の弱化を防止することができ、これにより、キャップの紛失を予め防止することができる。
また、余分なブラシを収納できることから、ブラシを直ちに取り替えることができる。
【発明を実施するための最良の形態】
【０００９】
以下、本発明の好ましい実施の形態を、添付図面に基づいて詳しく説明する。
本発明による歯間歯ブラシは、図３及び図４に示すように、ブラシ部と、取っ手部と、キャップとが一列に配設された直列型歯間歯ブラシであり、ブラシ部１０と取っ手部２０とを別々に構成するが、その取り付け構造に特徴があり、その特徴的な取り付け構造は、次の通りである。
【００１０】
前記取っ手部２０は、その上側に上方に拡張される楔型の取り付け溝２１が設けられ、この取り付け溝の端部には係止突部２２が設けられている。
また、前記ブラシ部１０は、ブラシ１１とブラシ台１２とから構成され、前記ブラシ台は、上側に凹状の取っ手溝１６を有する。この取っ手溝の上下側は、突出しており、ブラシ部１０の取り付け・取り外しの際に把持された指から滑って離れることを防止することができる。
このとき、前記取っ手溝１６の表面には、取っ手溝を把持する際に、滑り離れを防止するために、ナーリング部(knurling part)１２ａが設けられることが好ましい。
そして、前記ブラシ台１２の下側には、前記取り付け溝２１に嵌挿されるように、下方に行くにつれて外径が縮小する楔型の取り付け部１３を有する。かつ、前記取っ手溝１６と取り付け部１３との間には、前記係止突部２２が嵌入される係止溝１４が設けられるように構成しても良い。
【００１１】
また、図５（ａ）及び図５（ｂ）に示すように、前記取り付け溝２１の内面または取り付け部１３の外面には、取っ手部２０に対するブラシ部１０の勝手な回転を防止するために、回転防止突起１５、２０ａが設けられる。このとき、回転防止突起１５、２０ａの形状は、図３に示すように、長手方向に形成される線状突起や、または点状突起などの様々な形状に適用されても良い。
【００１２】
さらに、前記キャップ３０と取っ手部２０との取り付け構造においては、図３及び図４に示すように、前記キャップ３０の下端の内面に下方に行くにつれて拡張される楔型の取り付け溝３１が設けられており、かつ、前記取っ手部２０の上側には、前記取り付け溝３１に嵌挿されるように上方に行くにつれて外径が縮小する楔型の取り付け部２３を備えて構成しても良い。
このとき、前記取り付け部２３の下部は、前記取り付け溝３１の最大内径ｄよりも大きい外径Ｄとなっており、前記取り付け溝３１が嵌挿されない余分な取り付け部２４を備えることにより、係止段の機能を有し、かつ、後で取り付け部２３と取り付け溝３１との接触面が磨耗したときに使用することができるようにした。
【００１３】
一方、前記ブラシ台１２の下側には、余分なブラシ部１０ａを収納できるように、ブラシ収納溝２５が設けられており、このブラシ収納溝の開放部は、ねじ状のトップキャップ２６により封止されている。
このとき、前記トップキャップ２６の表面には、トップキャップの操作を容易にするために、図６（ａ）に示すような突起状、または、図６（ｂ）に示すような溝状のナーリング部２６ａが設けられることが好ましい。
【００１４】
以上のような構成からなる本発明による直列型歯間歯ブラシの作用を説明すると、次のようである。
先ず、取っ手部２０にブラシ部１０を取り付けるときには、ブラシ台１２の取っ手溝１６を指で把持した状態で、取っ手部２０の上側に備えられた取り付け溝２１の開放された上部からブラシ部１０の取り付け部１３を取り付け溝の内部に挿入するが、取り付け溝２１の上端に設けられた係止突部２２にブラシ台１２の係止溝１４が挿入されるまで挿入する。
このとき、前記取り付け溝２１または取り付け部１３の外面には、線状または点状の回転防止突起１５、２０ａが設けられており、取り付け部１３が取り付け溝２１に嵌挿されたとき、回転防止突起１５、２０ａが弾性的に押圧されながら取り付け力を倍加させ、ブラシ台１２の勝手な回転を防止し、かつ、取り付け部１３が取り付け溝２１に無理やり嵌合されることを勘案すると、回転防止突起とその相対面が線接触または点接触されるため、面接触される場合に比べ、大きい力を必要とせず、容易に取り付けることが可能となる。
また、取っ手溝１６の上下部が突出しており、ブラシ部１０の取り付け・取り外しを行う際に、ブラシ部が指から離れ難くなり、ブラシ部の容易な取り付け・取り外しが可能となる。
【００１５】
一方、ブラシ１１を保護するためのキャップ３０は、このキャップの内側下部に設けられた取り付け溝３１に取っ手部２０の上側に設けられた取り付け部２３を無理やり嵌合することで容易に取り付けられる。
このとき、前記取り付け部２３の下部には、前記取り付け溝３１の最大内径ｄよりも大きい外径Ｄを有する余分な取り付け部２４が設けられており、所定のステップで取り付けが止まり、かつ、取り付け部２３と取り付け溝３１との接触面が磨耗して緩くなったときには、取り付け溝３１に余分な取り付け部２４が嵌挿されるように強く押して嵌合すると、キャップ３０が緩くなることを防止することができ、キャップの紛失を予め防止することが可能となる。
【００１６】
そして、前記ブラシ台１２の内部には、余分なブラシ部１０ａが収納されるブラシ収納溝２５が備えられており、取り付けられたブラシ部が損傷または磨耗したときには、トップキャップ２６を開けて収納されていた余分なブラシ部１０ａを取り付けられたブラシ部１０と取り替えて使用すれば良く、取り付けられていたブラシ部１０は、ブラシ収納溝２５に収納して保管すれば良い。
従って、ブラシ部の迅速な取り替えが可能であることは勿論、損傷されたブラシ部を捨てるところが特にないときに、臨時的に保管して置き、後で指定されたところに捨てれば良いので、使用が便利である。
【００１７】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００１８】
【図１】従来の直列型歯間歯ブラシの縦断面図である。
【図２】図１のＩ−Ｉ線の断面図である。
【図３】本発明による直列型歯間歯ブラシの分離斜視図である。
【図４】図３の取り付け状態の縦断面図である。
【図５】（ａ）は、図４のII−II線の断面図であり、（ｂ）は、（ａ）の他の実施例を示す断面図である。
【図６】（ａ）は、図４のIII-III線の断面図であり、（ｂ）は、図６（ａ）の他の実施例を示す断面図である。
【符号の説明】
【００１９】
１０    ブラシ部
１０ａ  余分なブラシ部
１１    ブラシ
１２    ブラシ台
１３    取り付け部
１４    係止溝
１５    回転防止突起
１６    取っ手溝
２０    取っ手部
２０ａ  回転防止突起
２１    取り付け溝
２２    係止突部
２３    取り付け部
２４    余分な取り付け部
２５    ブラシ収納溝
２６    トップキャップ
３０    キャップ
３１    取り付け溝
【図１】
2005193031.tif 000003
【図２】
2005193031.tif 000004
【図３】
2005193031.tif 000005
【図４】
2005193031.tif 000006
【図５】
2005193031.tif 000007
【図６】
2005193031.tif 000008